(57)【要約】【課題】  短時間で印刷付加機能の印刷要件を設定できるようにする。【解決手段】  予め印刷付加機能を機能ごとに分類番号と機能番号により定義しておく。ユーザーは、テンキー画面操作キーを押下すると、ＣＰＵは、分類番号の入力を待受け（S11）、分類番号が入力されると（S12）、入力された分類番号を一旦記憶し、機能番号の入力を待つ（S13）。引続きＣＰＵは、機能番号の入力があったか否か判断し（S14）、機能番号が入力されたとき、それを一旦記憶し、確認キーの入力を待つ（S15）。確認されたときは（S16）、記憶した分類番号と機能番号を確定して当該印刷機能の設定画面へジャンプする（S17）。ユーザーは、この画面により印刷設定を行う。【選択図】        図６
2005073140.tif 000002
【特許請求の範囲】
【請求項１】
表示画面上で印刷機能が設定可能な手段を有する画像形成装置において、
識別情報が付与された印刷機能を記憶する手段と、
識別情報により該識別情報が付与された印刷機能の設定画面情報を読み出す手段と、
読み出された前記印刷機能の設定画面情報を表示する手段と、
を備えたことを特徴とする画像形成装置。
【請求項２】
請求項１記載の画像形成装置において、
前記識別情報により該識別情報が付与された印刷機能の設定画面情報を読み出す手段は、
デフォルトの印刷機能の識別情報、又は最後に実行された印刷機能の識別情報、又は最も使用頻度の高い印刷機能の識別情報、により印刷機能の設定画面情報を読み出すことを特徴とする画像形成装置。
【請求項３】
請求項１又は２記載の画像形成装置において、
前記識別情報を書き替える手段
を備えたことを特徴とする画像形成装置。
【請求項４】
請求項3記載の画像形成装置において、
前記印刷機能の識別情報をデフォルトの印刷機能の識別情報に復帰させる手段を備えたことを特徴とする画像形成装置。
【請求項５】
画像形成装置のコンピュータを、
識別情報が付与された印刷機能を記憶させる手段、
識別情報により該識別情報が付与された印刷機能の設定画面情報を読み出す手段、
読み出された前記印刷機能の設定画面情報を表示させる手段、
として機能させるためのプログラム。
【請求項６】
請求項５記載のプログラムを記録したコンピュータ読取り可能な記録媒体。
【発明の詳細な説明】
【技術分野】
【０００１】
本発明は、表示画面上で印刷機能が設定可能な手段を有する画像形成装置、プログラム及び記録媒体に関する。
【背景技術】
【０００２】
複写装置は、多機能化が進み、コピー機能の他に、ファクシミリ機能、プリンタ機能、スキャナ機能が付加された複合装置として構成されることが多い。複合装置としての機能を更に向上させるために、画像形成する場合に、多種多様の画像形成モードが用意され、操作部のディスプレイ上で選択できるようになっている。実際には、液晶ディスプレイ上にソフト的手段によって次々と表示される色々な種類の画像形成モードを、タッチ方式により選択しているが、タッチの回数が増えると、タッチパネル（液晶ディスプレイ）に亀裂や傷などの損傷を与えることになり、最悪の場合、タッチパネルが使用不能になる。
【０００３】
このような事態を回避するために、予め決定されている切替えルールに従って、タッチパネルに表示される現在の操作対象キーの次ぎの操作対象キーを調べ、現在の操作対象キー表示を通常状態に戻すとともに、次ぎの操作対象キーを操作対象キーとして表示するというように、操作対象画面の表示状態を遷移させる発明がなされている（特許文献１参照）。
【特許文献１】特開平11-205509号公報（段落番号（0014）、（0015）、（0063）、（0064）、（0065）、図6、図7）
【０００４】
この表示画面の遷移を、デジタル複合機の付加機能である応用変倍によってコピーをする場合を例として具体的に説明する。
【０００５】
図２８は、従来の応用変倍を設定する画面を表示させるときの表示画面の変化を示す図である。ユーザーはコピーを行うとき、液晶ディスプレイに図２８（Ａ）のコピー機能画面を表示させる。
【０００６】
コピー機能画面（図２８（Ａ））において、61は、デジタル複合機の基本機能を示すステータスエリア、62は、原稿枚数、セット枚数、コピー枚数などを表示するカウンタエリア、63は、給紙トレイを選択するトレイキー、64は、等倍か用紙指定変倍かを選択する倍率選択キー、65は、設定倍率表示部、66は、表紙／合紙、編集／印字、両面／集約、変倍の付加機能を使用するための印刷付加機能キーである。
【０００７】
ユーザーは、この機能画面で、印刷付加機能キーのうち変倍キー66をタッチすると、図２８（Ａ）の機能画面は、図２８（Ｂ）の等倍・用紙指定変倍以外の変倍が設定可能になる機能画面に変わる。
【０００８】
図２８（Ｂ）の機能画面において、67は、ズーム、拡大、縮小、応用変倍の機能を設定するキーであり、縮小キー68の場合のデフォルト機能として、５０，６１，７１，８２，８７の各パーセント数値69のうち、７１パーセントの縮小設定70がなされていることを示す。
【０００９】
図２８（Ｃ）は、図２８（Ｂ）の機能画面から応用変倍が選択されることにより表示される応用変倍の設定画面である。この画面で原稿サイズ71とコピーサイズ72が入力されると、自動的に倍率が算出される。従ってユーザーは、この画面により原稿サイズとコピーサイズを入力する。
【００１０】
このように応用変倍コピーを行おうとすると、コピー機能画面（図２８（Ａ））から変倍の機能画面（図２８（Ｂ））を表示し、更に応用変倍の設定画面（図２８（Ｃ））を表示するという一連の画面表示動作を順番に行い、始めて応用変倍コピーの設定が可能になるものである。
【発明の開示】
【発明が解決しようとする課題】
【００１１】
しかしながら、変倍に限らず、色々な印刷付加機能を使用して複写を行おうとすると、その都度、必要な印刷要件の設定画面が表示されるまで、所定の表示画面の変遷を経なければならない。これは、ユーザーが液晶ディスプレイのキーをタッチすることにより行っても、また予め定めたルールにより自動的に行っても同じであり、必要な設定画面の到達までに多数の画面変遷を経ることに変わりはない。このため、必要な設定画面の表示までに時間がかかった。しかもその表示画面上で、印刷作業を始めるたびに、改めて印刷要件を設定するので、ユーザーにとって印刷要件の設定作業は煩わしいものになっていた。
【００１２】
そこで本発明の第１の目的は、短時間で印刷付加機能の印刷要件を設定できるようにすることであり、第２の目的は、印刷要件の設定作業を画像形成ごとに行わなくてもよいようにすることである。また第３の目的は、一旦設定された印刷要件が容易に変更できるようにすることである。
【課題を解決するための手段】
【００１３】
請求項１の発明は、表示画面上で印刷機能が設定可能な手段を有する画像形成装置において、識別情報が付与された印刷機能を記憶する手段と、識別情報により該識別情報が付与された印刷機能の設定画面情報を読み出す手段と、読み出された前記印刷機能の設定画面情報を表示する手段と、を備えたことを特徴とする画像形成装置である。
【００１４】
請求項２の発明は、請求項１記載の画像形成装置において、前記識別情報により該識別情報が付与された印刷機能の設定画面情報を読み出す手段は、デフォルトの印刷機能の識別情報、又は最後に実行された印刷機能の識別情報、又は最も使用頻度の高い印刷機能の識別情報、により印刷機能の設定画面情報を読み出すことを特徴とする画像形成装置である。
【００１５】
請求項３の発明は、請求項１又は２記載の画像形成装置において、前記識別情報を書き替える手段を備えたことを特徴とする画像形成装置である。
【００１６】
請求項４の発明は、請求項3記載の画像形成装置において、前記印刷機能の識別情報をデフォルトの印刷機能の識別情報に復帰させる手段を備えたことを特徴とする画像形成装置である。
【００１７】
請求項５の発明は、画像形成装置のコンピュータを、識別情報が付与された印刷機能を記憶させる手段、識別情報により該識別情報が付与された印刷機能の設定画面情報を読み出す手段、読み出された前記印刷機能の設定画面情報を表示させる手段、として機能させるためのプログラムである。
【００１８】
請求項６の発明は、請求項５記載のプログラムを記録したコンピュータ読取り可能な記録媒体である。
【発明の効果】
【００１９】
請求項１，２の発明に対応する効果：識別情報に基いて該識別情報の印刷付加機能の設定画面情報を読み出し表示し、また前記設定画面を、デフォルトの印刷付加機能の識別情報、又は最後に実行された印刷付加機能の識別情報、又は最も使用頻度の高い印刷付加機能の識別情報に基いて読み出し表示するので、短時間で印刷付加機能の印刷要件を設定でき、また、印刷要件の設定作業を画像形成ごとに行わなくてもよく、画像形成装置の使い勝手がよくなる。
請求項３，４の発明に対応する効果：ユーザーの使い勝手に応じて印刷要件が容易に変更可能になる。
請求項５，６の発明に対応する効果：一般の画像形成装置を、容易に前記効果を奏する画像形成装置として機能させることができる。
【発明を実施するための最良の形態】
【００２０】
以下、本発明の実施例に係るデジタル複合機の操作ユニットの構成動作を図面を参照して説明する。
【００２１】
図１は、デジタル複合機の操作ユニットの制御部を示すブロック図であり、図中、１０は、操作ユニットの制御部（以下、操作制御部）、１は、操作ユニット全体を制御するＣＰＵ、２は、この制御のためのプログラムを格納するフラッシュROM、３は、操作制御のためにワーク領域を提供するSRAM、４は、液晶表示を行う液晶（LCD）モジュール、５は、液晶表示上に重ねて配置されるタッチパネル、６は、液晶（LCD）モジュールへの表示画素が格納されるビデオRAM（VRAM）であるSDRAM、７は、液晶モジュール４、タッチパネル５のバックライトを制御し、またSDRAM６へのリード/ライトを制御するLCDコントローラ、８は、キー基板スイッチ、発光ダイオード（LED）、ブザー等の電子部品、９は、キー基板スイッチ及びLED、ブザー等を駆動するドライバである。
【００２２】
操作制御部１０は、その一部のみが示されるデジタル複合機の本体制御部３０と双方向通信が可能な同期シリアル通信線２０により接続され、この通信線２０を介して操作ユニット１０で入力された描画コマンド、及び複写枚数、用紙サイズ等の各種設定値等の情報と本体制御部３０からの制御情報のやり取りが行われる。
【００２３】
図２は、デジタル複合機に搭載される操作ユニットの外観図であり、図２（Ａ）は、後述するテンキー画面操作が行われる前の操作ユニットの外観、図２（Ｂ）は、テンキー画面操作が行われた後の操作ユニットの外観を示す。
【００２４】
図２（Ａ）において、41は、プリント枚数や倍率等を入力するためのテンキー、42は、液晶式のタッチパネルが重ねて配置される液晶（LCD）表示部、43は、プリント動作の開始を指示するスタートキー、44は、プリント動作の中断及びテンキー入力のクリヤを行うクリヤ/ストップキー、45は、テンキー41を本発明の実施例に係る画面番号入力を行うキーとして機能させるためのテンキー画面操作キーである。
【００２５】
46は、予熱状態への移行/解除を指示する予熱キー、47は、設定されているプリントモードをデフォルト状態に戻すリセットキー、48は、初期設定モードの移行/解除キー、49は、液晶表示画面上の表示言語を他の表示言語に切換えるためのキー、50は、コピー実行キー、51は、ファクシミリ送信実行キー、52は、プリント実行キー、53は、スキャナ読取り実行キーである。また45aは、テンキー画面操作キー45のオンオフ状態をユーザーに視認させるために発光ダイオード（LED）であり、このようなLEDは、スタートキー43、予熱キー46、リセットキー47、コピーキー50等にも備えられている。特に、スタートキー43には、プリント可能状態を示す緑色LEDと不可能状態を示す赤色LEDが備えられている。
【実施例１】
【００２６】
本実施例は、テンキー画面操作キー45のオンオフにより、テンキー41を画像形成モードの画面番号入力キー又は通常の各種操作用のキーとして機能させる。
【００２７】
図２（Ａ）において、ユーザーは、テンキー画面操作キー45をオンすることにより、テンキー41は、画面番号入力キーとして動作する。
【００２８】
図３は、テンキー画面操作キーによりテンキーを画面番号入力キーとして機能させるための処理のフロー図である。フロー図を参照してこの処理を説明する。
【００２９】
図３において、ユーザーがテンキー41を画面番号入力キーとして機能させるためにテンキー画面操作キー45を押下（オン）する。ＣＰＵ１は、テンキー画面操作キー45の操作を待受けており（ステップＳ１、以下、ステップはＳと略称）、テンキー画面操作キー45がオンされたと判断すると（S1,Y）、テンキー41が原稿枚数、セット枚数、コピー枚数入力の通常操作が終了しているか否かを判断する（S2）。通常操作が終了しているときは（S2,Y）、テンキー画面操作キー45のLED45aを点灯し（S3）、テンキー41を画面番号入力キーとして機能させる。通常操作が終了していないときは（S2,N）、テンキー画面操作キー45のLED45aを消灯し（S5）、テンキー41を通常操作用に切替え、原稿枚数、セット枚数、コピー枚数などの入力用に切替える（S6）。
【実施例２】
【００３０】
次に、本実施例は、デジタル複合機の操作ユニットは画面上での機能の組合わせ選択を行うことなく所定の設定画面へ直接ジャンプする。このために各種印刷付加機能（画像形成モード）による設定画面を画面番号（分類番号及び機能番号）によって定義しておく。
【００３１】
図４は、印刷付加機能を分類番号と機能番号により定義する画面番号定義テーブルを示す図であり、図中、変倍、両面／集約、編集／印字、表紙／合紙に、それぞれ分類番号1,2,3,4を付与し、これらの例えば変倍のうち、ズーム、拡大、縮小、応用変倍に、それぞれ更に機能番号1,2,3,4を付与する。このテーブルは、本体制御部30の不揮発性メモリ21に記憶する。
【００３２】
ユーザーは、所定の設定画面にジャンプしようとする場合は、まずコピーキー50を押下し、コピー機能画面を表示させる。この画面でテンキー41により原稿枚数、セット枚数、コピー枚数入力などの通常操作が終了した後、テンキー画面操作キー45を押下し、テンキー41を画面番号入力キーとして機能させる。
【００３３】
図５は、入力された画面番号により設定画面を表示させるときのコピー機能画面の変化を示す図である。図５において、テンキー画面操作キー45が押下されると、コピー機能画面のステータスエリア61に、テンキー41が画面番号入力キーとして機能することを示す「テンキー画面操作中」71が表示される。この表示がなされたとき、ユーザーは、例えば変倍であって応用変倍の画面にジャンプしたいときは、テンキー41により分類番号１と機能番号４を示す１−４を入力すると、ステータスエリア61に、画面番号72が表示される（図５（Ｂ））。ユーザーは、これを＃キー（不図示）で確認すると、応用変倍の設定画面（図５（Ｃ））が表示されるので、この画面に従って所定の入力を行えばよい。
【００３４】
この画面番号による設定画面表示の処理は、操作制御部10によって実行されるので、その処理手順を図６を参照して説明する。
【００３５】
図６は、画面番号による設定画面表示処理のフロー図である。ユーザーは、テンキー画面操作キー45を押下すると、ＣＰＵ１は、分類番号の入力を待受け（S11）、分類番号が入力されると（S12）、入力された分類番号をSRAM３に記憶し、機能番号の入力を待つ（S13）。引続きＣＰＵ１は、機能番号の入力があったか否か判断し（S14）、機能番号が入力されたときは、それをSRAM３に記憶し、確認キー＃の入力を待つ（S15）。確認がなされたときは（S16）、記憶した分類番号と機能番号を確定して当該画面へジャンプし（S17）、この処理を終了する。
【実施例３】
【００３６】
本実施例は、最初に入力された画面番号を入力候補の画面番号として表示し、この画面番号により設定画面を表示するものである。
【００３７】
図７は、最初に入力された画面番号で設定画面を表示するときの表示画面の変化を示す図である。図７において、コピーキー50（図2）の押下により表示されたコピー機能画面で、テンキー画面操作キー45が押下され、テンキー41が画面番号入力キーに機能変換されると、コピー機能画面のステータスエリア61に、テンキー41が画面番号入力キーとして機能することを示す「テンキー画面操作中」71が表示される。この表示と同時に、このステータスエリアに最初に入力された画面番号を入力候補の画面番号として、つまり本実施例では分類番号１と機能番号４による画面番号72を入力候補の画面番号として表示する。この表示は、確定前であることを示す白抜き領域で表示される。ユーザーは、この番号を＃キーで確認すると、応用変倍の設定画面（図７（Ｃ））を表示するので、この画面に従って所定の入力を行う。表示された入力候補の画面番号が、ユーザーが設定したい画面の番号でない場合は、改めてテンキー41により表示したい画面の番号を入力し、これを確認する動作を行う。
【００３８】
図８は、最初に入力された画面番号により設定画面を表示する処理のフロー図である。図８により、この処理を説明すると、ユーザーによりテンキー画面操作キー45が押下されると（S21）、ＣＰＵ１は、テンキー画面操作キー45のLED45aを点灯させる（S22）。そして、テンキー41を画面番号入力キーとして機能させると共に、機能画面のステータスエリア61にその旨の表示「テンキー画面操作中」を表示し（S23）、同時にステータスエリア61に、最初に入力された画面番号72をSRAM３から読み出して、入力候補の画面番号として白抜きで表示させる（S24）。この状態で、ＣＰＵ１は、表示された画面番号の確定又は別の画面番号の入力を待ち（S25）、この処理を終了する。
【実施例４】
【００３９】
本実施例は、ユーザーが表示させたい設定画面の画面番号を入力候補の画面番号として登録し、登録した画面番号により画面設定するものである。
【００４０】
図９は、設定画面の画面番号を登録する場合の初期設定画面の変化を示す図である。ユーザーは、画面番号の登録を行うとき、まず操作ユニットの初期設定キー48を押下する。すると、ＬＣＤ表示部42は、初期設定メニュー画面（図９（Ａ））を表示する。初期設定メニュー画面には、入力画面番号設定キー91が表示されるので、これを押下すると、入力画面候補設定画面（図９（Ｂ））に変わる。この画面は、分類番号キー92及び機能番号キー93を表示するので、ユーザーは分類番号キー92を押圧し、テンキー41により例えば分類番号２を入力する。その後、機能番号キー93を押圧し、テンキー41により例えば機能番号２を入力する。入力された分類番号２及び機能番号２はSRAM３に記憶される。これらの入力により、入力画面候補設定画面のフィードバック欄94に、入力した画面番号２−２が表示される。図４の定義テーブルを参照すると、この入力によって、両面／集約モードの両面／両面コピーが設定されることになる。この入力後、これを入力画面候補設定画面のメニューキー95により確定すると、画面は、初期設定メニュー画面に戻り、終了キー96により登録を終了する。
【００４１】
次に、画面番号の登録が行われているとき、登録された画面番号で画面設定を行う操作について説明する。
【００４２】
図１０は、画面番号が登録されているときのコピー機能画面の変化を示す図である。図１０において、コピー機能画面でテンキー画面操作キー45が操作され、テンキー41が画面番号入力キーに機能変換されると、ステータスエリア61に、テンキー41が画面番号入力キーとして機能することを示す「テンキー画面操作中」71が表示される（図１０(Ａ)）と同時に、このステータスエリア61に入力候補の画面番号、つまり本実施例では登録済みの分類番号２と機能番号２を示す画面番号73が表示される。この表示は、確定前であることを示す白抜き領域に表示される。ユーザーは、この番号を＃キーで確認すると、両面の設定画面（図１０（Ｃ））で両面／両面74が反転表示されるので、これを確認する、つまり同図右下のＯＫキーをチェックすればよい。なお、登録された画面番号を使用しない場合は、白抜き領域に表示された画面番号を確定する前に、別の画面番号をテンキー41で入力する。
【００４３】
図１１は、画面番号が登録されているときの画面設定処理のフロー図である。図１１により、この処理を説明すると、テンキー画面操作キー45が押下されると（S31）、ＣＰＵ１は、テンキー画面操作キー45のLED45aを点灯させる（S32）。そして、テンキー41を画面番号入力キーとして機能させると共に、表示画面のステータスエリアにその旨の表示を行い（S33）、同時にSRAM３に分類番号及び機能番号が記憶されているか否かをチェックし（S34）、登録されていれば、登録されている画面番号を白抜き領域に表示させ（S35）、その確定操作又は別の画面番号の入力を待つ（S36）。
【実施例５】
【００４４】
本実施例は、最後に実行された画像形成モードの画面番号により画面設定を行うものである。ここで画像形成モードとは、所定の印刷付加機能の組合わせによる画像形成の形態（モード）をいう。このため本実施例では、画像形成動作が実行されたとき、実行された画像形成モードを記憶する。
【００４５】
図１２は、実行された画像形成モードを記憶する処理のフロー図であり、フロー図に従って説明すると、所定の画面番号により画面設定がなされ、画像形成モードが決定されたあと、スタートキー43が押下される。ＣＰＵ１は、スタートキー43が押下されたか否かを判断し（S41）、押下されたと判断するときは、更に画像形成動作がスタートしたか否かを判断し（S42）、スタートしたと判断するときは、その画像形成モードを確定し（S43）、その画面番号をSRAM３に記憶する（S44）。前記メモリとして不揮発性メモリ21を使用することができる。
【００４６】
次に本実施例では、記憶された画面番号、つまり最後に実行された画像形成モードの画面番号で画面設定を行う。
【００４７】
図１３は、最後に実行された画像形成モードの画面番号で画面設定を行う処理のフロー図であり、以下、フロー図に従ってこの処理を説明する。ユーザーによりテンキー画面操作キー45が押下されると（S51）、ＣＰＵ１は、テンキー画面操作キー45のLED45aを点灯させる（S52）。そして、テンキー41を画面番号入力キーとして機能させると共に、表示画面のステータスエリアにその旨の表示を行い（S53）、SRAM３又は不揮発性メモリ21に記憶されている最後に実行された画像形成モードの画面番号を調べ読み出す（S54）。読み出した画面番号を、ステータスエリアに白抜きで表示させる（S55）。この状態で、ＣＰＵ１は、表示された画面番号の確定、又は別の画面番号の入力を待ち（S56）、この処理を終了する。
【実施例６】
【００４８】
本実施例は、最後に実行された画像形成モードの画面番号でなく、最も多く使用される画像形成モードの画面番号で画面設定を行う。
【００４９】
このため、画像形成モードごとにSRAM３にカウンタを設け、画像形成モードの使用ごとに当該カウンタをカウントアップする。
【００５０】
図１４は、画像形成モードの使用ごとにカウントアップする処理のフロー図である。フロー図に従ってこの処理を説明する。画像形成モードが設定されたあと、スタートキー43が押下される。ＣＰＵ１は、スタートキー43が押下されたか否かを判断し（S61）、押下されたと判断するときは、更に画像形成動作がスタートしたか否かを判断し（S62）、スタートしたと判断するときは、その画像形成モードを確定し（S63）、そのモードのメモリ上のカウンタをカウントアップする（S64）。前記メモリとして不揮発性メモリ21を使用することができる。
【００５１】
次に本実施例では、最も多く使用される画像形成モードの画面番号で画面設定を行う。
【００５２】
図１５は、最も多く使用される画像形成モードの画面番号で画面設定を行う処理のフロー図であり、以下、本図に従ってこの処理を説明する。ユーザーによりテンキー画面操作キー45が押下されると（S71）、ＣＰＵ１は、テンキー画面操作キー45のLED45aを点灯させる（S72）。そして、テンキー41を画面番号入力キーとして機能させると共に、表示画面のステータスエリアにその旨の表示を行い（S73）、SRAM３のメモリのカウンタを調べ、最も多く使用されている画像形成モードの画面番号を読み出す（S74）。読み出した画面番号を、ステータスエリアに白抜きで表示させる（S75）。この状態で、ＣＰＵ１は、表示された画面番号の確定、又は別の画面番号の入力を待ち（S76）、この処理を終了する。
【実施例７】
【００５３】
本実施例は、画像形成モード設定画面を、ユーザー設定モード、又は最終実行モード、又は高使用頻度モードのいずれかの画面番号により画面設定するものである。
【００５４】
図１６は、画像形成モードの選択により画面番号を設定する操作を行う画面を示す図である。図１６を参照してこの選択及び設定操作について説明する。操作ユニットの初期設定キー48（図２）が押下されると、各種項目の初期設定を可能にする画面（図１６（Ａ））が表示される。この画面中に、基本設定キー、用紙設定キー、時刻タイマー設定キー等とともに入力画面番号設定キー91が表示されるので、このキーを押圧すると、画面番号の初期設定画面（図１６（Ｂ））に変わる。この初期設定画面には、優先候補設定キーとして、ユーザー設定キー97、最終実行モードキー98、高使用頻度モードキー99が表示される。従ってユーザーは、これらのキーにより、ユーザー設定モード97又は、最終実行モード98又は、高使用頻度モード99のいずれかを選択する。
【００５５】
例えばユーザー設定キー97が選択されると、分類番号キー92又は機能番号キー93が選択可能になり、そのいずれかを選択することによって、テンキー41により分類番号の例えば２、及び機能番号の例えば２が入力できる。入力された分類番号及び機能番号は、そのフィードバック欄94に表示される。
【００５６】
最終実行モード98が選択されるときは、最後に実行された画像形成モードの分類番号及び機能番号がフィードバック欄94に表示され、また高使用頻度モード99が選択されると、最も多く使用されたモードの分類番号及び機能番号がフィードバック欄94に表示される。
【００５７】
この表示を確認してメニューキー95を押圧すると、初期設定画面（図１６（Ａ））に戻り、終了キー96によりこの初期設定画面をクローズして選択されたモードの画面番号の画面設定をすることができる。
【００５８】
図１７は、ユーザー設定モード又は最終実行モード又は高使用頻度モードの画面番号により画面設定を行う処理のフロー図である。図１７を参照してこの処理を説明すると、ユーザーによりテンキー画面操作キー45が押下されると（S81）、ＣＰＵ１は、テンキー画面操作キー45のLED45aを点灯させる（S82）。そして、テンキー41を画面番号入力キーとして機能するキーに変換すると共に、表示画面のステータスエリアにその旨の表示を行う（S83）。
【００５９】
続いて、ＣＰＵ１は、ユーザーによりユーザー設定モード又は最終実行モード又は高使用頻度モードが選択されると、対応するフラグが立てられるので、それらのいずれのフラグが立てられているかにより、初期設定の優先候補を調べる（S84）。
【００６０】
ユーザー設定モードが優先候補として選択されているときは、初期設定で設定されている入力候補の画面番号を調べる（S85）。そして、調べた結果の画面番号をステータスメニューに白抜きで表示し（S88）、その確定又は画像番号の入力を待ち（S89）、確定又は入力が行われた後、この処理を終了する。
【００６１】
ユーザー設定モードでなく、最終実行モード又は高使用頻度モードが選択されたとき、最後に実行されたモード又は最も使用頻度の高い画像形成モードの画面番号を調べ（S86,S87）、調べた結果の画面番号をステータスメニューに白抜きで表示し（S88）、この確定又は画像番号の入力を待ち（S89）、確定又は入力後、この処理を終了する。
【実施例８】
【００６２】
本実施例は、画面番号定義テーブルの画面番号（分類番号、機能番号）をユーザー好みにカスタマイズするものである。
【００６３】
図１８は、画面番号定義テーブルの画面番号をカスタマイズする場合の初期画面を示す図である。操作ユニットの初期設定キー48（図２）が押下されると、各種項目の初期設定を可能にする画面（図１８（Ａ））が表示される。この画面中に、基本設定キー、用紙設定キー、時刻タイマー設定キー等とともに入力画面番号設定キー91が表示されるので、このキーを押圧すると、入力画面番号初期設定画面（図１８（Ｂ））に変わる。入力画面番号初期設定画面には、変倍、両面／集約、編集／印字、表紙／合紙の分類番号を変更可能にするための、変倍変更キー101、両面／集約変更キー102、編集／印字変更キー103、表紙／合紙変更キー104が表示される。この画面で変倍の画面番号（分類番号）を変更するために、変倍キー101を押圧すると、変倍キーの表示が反転するとともに、「分類番号か機能番号を選択し、テンキーで設定してください。」が表示され、現在設定されている分類番号、本例では１が表示され、変更する分類番号の入力を要求する。ユーザーが分類番号１を５に変更するときは、数字５をテンキー41により入力し、メニューキー95により確定する。すると、各項目の初期設定画面に戻るので、終了キー96により、画面番号の変更を終了する。
【００６４】
機能番号を変更する場合、例えば変倍に係る機能番号を変更するときは、図１８（Ｂ）において変倍キーを押圧すると、同時に変倍項目に対応するズームキー111、拡大キー112、縮小キー113、応用変倍キー114が表示されるので、所定のキーを押圧し、分類番号の変更と同様に、機能番号を入力し、これを変更する。
【００６５】
図１９は、変倍の分類番号が１から５に変更された画面番号定義テーブルを示す。なお、図４で示した画面番号定義テーブルは、予め操作制御部のフラッシュROM２又は不揮発性メモリ21に記憶されたデフォルト情報であり、変更後の画面番号定義テーブルは、ユーザー操作により変更されSRAM３に記憶されるカスタマイズ情報である。
【００６６】
図２０は、画面番号定義テーブルの画面番号をカスタマイズする処理のフロー図である。フロー図に従ってこの処理を説明する。入力画面番号設定キー91（図１８）が押圧されると、この処理がスタートし、ＣＰＵ１は、分類番号の変更が選択されたか機能番号の変更が選択されたかを判断し（S91）、選択された分類番号又は機能番号の現在設定されている番号を表示する（S92）。そして現在設定されている画面番号がテンキー41により変更されたか否かを判断し（S93）、変更されたときは、変更された番号を変更後の設定番号として表示し（S94）、これを確認するための＃キーの押下があったか否かを判断する（S95）。＃キーの押圧による確認があったときは、変更された画面番号を確定し、画面番号定義テーブルを更新する（S96）。＃キー以外のキーが押圧されたときは、この処理を終了し、何らのキー入力がなければ、入力を待つ。
【００６７】
図２１は、変更された画面番号定義テーブルの画面番号により当該画像形成モードの設定画面へジャンプする処理のフロー図である。ユーザーは、テンキー画面操作キー45を押下すると、ＣＰＵ１は、テンキー41を画面番号入力キーとして機能させ、分類番号の変更入力を待つ（S101）。分類番号が入力されると（S102）、入力された分類番号をSRAM３に記憶し、機能番号の変更入力を待つ（S103）。引続きＣＰＵ１は、機能番号の変更入力があったか否か判断し（S104）、機能番号が変更入力されたときは、それをSRAM３に記憶し、確定キー（＃キー）の押圧を待つ（S105）。＃キーが押圧され、変更が確定されたときは（S106）、画面番号を確定し、確定した画面番号の画面番号テーブルを検索し（S107）、変更された分類番号と機能番号の設定画面へジャンプし（S108）、この処理を終了する。確定キー以外のキーが操作されたときは、入力を無効としてこの処理を終了する。
【実施例９】
【００６８】
本実施例は、実施例７において画面番号定義テーブルをカスタマイズしようとする場合、当該画面番号が既に使用されているとき、警告を発して別の番号の再入力を求めるものである。
【００６９】
図２２は、画面番号の入力時における警告画面を示す図であり、図中、図２２（Ａ）及び図２２（Ｂ）は、変倍の画面番号を変更する場合の図１８と同じ図である。図２２（Ａ）及び図２２（Ｂ）において、変倍の分類番号を変更するために分類番号５を入力したとき、番号５が既に他の分類で使用されている場合は、「入力番号は既に使われています。別の番号を入力しなおしてください。」というメッセージの警告画面（図２２（Ｃ））を表示する。この画面が表示されたときは、戻るキー115により、この画面をキャンセルして図２２（Ｂ）の画面に戻り、別の分類番号を入力する。
【００７０】
図２３は、重複した画面番号を使用するとき警告を発して重複のない画面番号を入力させる処理のフロー図である。以下、このフロー図によりその処理の手順を説明する。
【００７１】
入力画面番号設定キー91が押圧されると、この処理がスタートし、ＣＰＵ１は、分類番号の変更が選択されたか機能番号の変更が選択されたかを判断し（S111）、選択された分類番号又は機能番号の現在設定されている番号を表示する（S112）。そして現在設定されている画面番号がテンキー41により変更されたか否かを判断し（S113）、変更されたときは、変更された番号を変更後の設定番号として表示し（S114）、これを確定するための＃キーの押下があったか否かを判断する（S115）。＃キーにより変更が確定されたときは、入力された変更画面番号を確定し、画面番号定義テーブルを検索する（S116）。そして画面番号の重複があるか否かを判断する（S117）。重複がなければ（S117,N）、画面番号テーブルを更新して（S118）、この処理を終了する。重複があるときは（S117,Y）、警告画面（図２３（Ｃ））を表示し（S119）、初期設定画面（図２３（Ｂ））に戻る指示がなされたか否かを判断し（S120）、指示がなされているときは、前記画面に戻って別の画面番号を入力する。
【実施例１０】
【００７２】
本実施例は、カスタマイズにより変更した個々の画面番号を操作ユニットに予め設定されているデフォルトの画面番号に個々に戻すものである。
【００７３】
図２４は、変更した画面番号をデフォルトの画面番号に戻す表示画面を示す図である。操作ユニットの初期設定キー48（図２）が押圧されると、各種項目の初期設定を可能にする画面（図２４（Ａ））が表示される。この画面中の基本設定キー、用紙設定キー、時刻タイマー設定キー等とともに入力画面番号設定キー91が表示されるので、このキーを押圧すると、入力画面番号初期設定画面（図２４（Ｂ））に変わる。本例では、変倍の分類番号をデフォルトの分類番号に戻すので、変倍101を押圧すると、変更後の分類番号５が表示される。そこで、デフォルトに戻すキー117に押圧すると、変更後の分類番号は元の分類番号１に戻されるので、メニューキー95で最初の初期設定画面（図２４（Ａ））に戻り、その終了キー96により、この操作を終了する。機能番号をデフォルトの機能番号に戻す場合は、当該機能モードを押圧により選択し、表示された当該機能モードの機能番号をデフォルトキー117で元の機能番号に戻す。
【００７４】
図２５は、変更した画面番号をデフォルトの画面番号に戻す処理のフロー図である。このフロー図によりその処理の手順を説明する。
【００７５】
操作ユニットの初期設定キー48（図２）が押圧されると、各種項目の初期設定を可能にする画面（図２４（Ａ））が表示され、その画面中、入力画面番号設定キー91が押圧されると、この処理がスタートし、ＣＰＵ１は、分類番号の変更が選択されたか機能番号の変更が選択されたかを判断し（S121）、選択された分類番号又は機能番号の現在設定されている番号を表示する（S122）。そしてデフォルトキーがオンされているか否かを判断し（S123）、オンされているときは、デフォルトの画面番号に戻すべき画面番号を確定し、画面番号定義テーブルをデフォルトの画面番号に戻す（S124）。
【実施例１１】
【００７６】
本実施例は、カスタマイズにより変更した全ての画面番号を操作ユニットに予め設定されているデフォルトの画面番号に一括して戻すものである。
【００７７】
図２６は、変更した画面番号をデフォルトの画面番号に一括して戻す表示画面を示す図である。図２６を参照して変更した画面番号をデフォルトの画面番号に一括して戻す操作について説明すると、操作ユニットの初期設定キー48（図２）が押圧されると、各種項目の初期設定を可能にする画面（図２６（Ａ））が表示される。この画面中に、基本設定キー、用紙設定キー、時刻タイマー設定キー等とともに入力画面番号設定キー91が表示されるので、このキーを押圧すると、入力画面番号初期設定画面（図２６（Ｂ））に変わる。本例では、変更した画面番号をデフォルトの画面番号に一括して戻すので、一括でデフォルトに戻すキー118を押圧すると、変更した画面番号は元の画面番号に戻されるので、メニューキー95で最初の初期設定画面（図２６（Ａ））に戻り、その終了キー96により、この操作を終了する。
【００７８】
図２７は、変更した画面番号をデフォルトの画面番号に一括して戻す処理のフロー図である。操作ユニットの初期設定キー48（図２）が押圧され、初期設定画面中の入力画面番号設定キー91が押圧されると、この処理がスタートし、ＣＰＵ１は、一括してデフォルトに戻すキーがオンされたか否かを判断する（S131）。オンされていると判断したとき、画面番号テーブルの分類番号及び機能番号をフラッシュROM２に記憶されている画面番号の定義テーブルに初期化する（S132）。
【実施例１２】
【００７９】
一般の画像形成装置のコンピュータに、実施例１乃至１１で述べた画面設定の機能を実行させるために、その手順を汎用のプログラム言語によりコンピュータプログラムとして記述し、かつ、このプログラムをフレキシブルディスク、CD−ROM、DVD-ROM、MO等の任意の記録媒体に記録し、これを読み取らせることで本発明に係る画面設定処理を容易に実施することができる。本プログラムは、記録媒体に記録する以外に、インターネット、イントラネット等の任意のネットワークを介して、画像形成装置のコンピュータに直接読み取らせることも可能である。
【産業上の利用可能性】
【００８０】
本発明は、コピー機能、ファクシミリ機能、プリンタ機能、文書整理機能などを併せ持つデジタル複合機において使用することができる。
【図面の簡単な説明】
【００８１】
【図１】デジタル複合機の操作ユニットの構成を示すブロック図である。
【図２】デジタル複合機に搭載される操作ユニットの外観を示す図である。
【図３】テンキー画面操作キーによりテンキーを画面番号入力キーとして機能させるための処理のフロー図である。
【図４】印刷付加機能を分類番号と機能番号により定義する画面番号定義テーブルを示す図である。
【図５】入力された画面番号により設定画面を表示させるときのコピー機能画面の変化を示す図である。
【図６】画面番号による設定画面表示処理のフロー図である。
【図７】最初に入力された画面番号で設定画面を表示するときの表示画面の変化を示す図である。
【図８】最初に入力された画面番号により設定画面を表示する処理のフロー図である。
【図９】設定画面の画面番号を登録する場合の初期設定画面の変化を示す図である。
【図１０】画面番号が登録されているときのコピー機能画面の変化を示す図である。
【図１１】画面番号が登録されているときの画面設定処理のフロー図である。
【図１２】実行された画像形成モードを記憶する処理のフロー図である。
【図１３】最後に実行された画像形成モードの画面番号で画面設定を行う処理のフロー図である。
【図１４】画像形成モードの使用ごとにカウントアップする処理のフロー図である。
【図１５】最も多く使用される画像形成モードの画面番号で画面設定を行う処理のフロー図である。
【図１６】画像形成モードの選択により画面番号を設定する操作を行う画面を示す図である。
【図１７】ユーザー設定モード又は最終実行モード又は高使用頻度モードの画面番号により画面設定を行う処理のフロー図である。
【図１８】画面番号定義テーブルの画面番号をカスタマイズするときの初期画面を示す図である。
【図１９】分類番号が変更された画面番号定義テーブルを示す図である。
【図２０】画面番号定義テーブルの画面番号をカスタマイズする処理のフロー図である。
【図２１】変更された画面番号定義テーブルの画面番号により当該画像形成モードの設定画面へジャンプする処理のフロー図である。
【図２２】画面番号の入力時における警告画面を示す図である。
【図２３】重複した画面番号を使用するとき警告を発して重複のない画面番号を入力させる処理のフロー図である。
【図２４】変更した画面番号をデフォルトの画面番号に戻す表示画面を示す図である。
【図２５】変更した画面番号をデフォルトの画面番号に戻す処理のフロー図である。
【図２６】変更した画面番号をデフォルトの画面番号に一括して戻す表示画面を示す図である。
【図２７】変更した画面番号をデフォルトの画面番号に一括して戻す処理のフロー図である。
【図２８】従来の応用変倍を設定する画面を表示させるときの表示画面の変化を示す図である。
【符号の説明】
【００８２】
１・・・ＣＰＵ、２・・・フラッシュROM、３・・・SRAM、４・・・液晶（LCD）モジュール、５・・・タッチパネル、６・・・SDRAM、７・・・LCDコントローラ、８・・・発光ダイオード等の電子部品、９・・・ドライバ、１０・・・操作制御部、２０・・・本体制御部、同期シリアル通信線。
【図１】
2005073140.tif 000003
【図２】
2005073140.tif 000004
【図３】
2005073140.tif 000005
【図４】
2005073140.tif 000006
【図５】
2005073140.tif 000007
【図６】
2005073140.tif 000008
【図７】
2005073140.tif 000009
【図８】
2005073140.tif 000010
【図９】
2005073140.tif 000011
【図１０】
2005073140.tif 000012
【図１１】
2005073140.tif 000013
【図１２】
2005073140.tif 000014
【図１３】
2005073140.tif 000015
【図１４】
2005073140.tif 000016
【図１５】
2005073140.tif 000017
【図１６】
2005073140.tif 000018
【図１７】
2005073140.tif 000019
【図１８】
2005073140.tif 000020
【図１９】
2005073140.tif 000021
【図２０】
2005073140.tif 000022
【図２１】
2005073140.tif 000023
【図２２】
2005073140.tif 000024
【図２３】
2005073140.tif 000025
【図２４】
2005073140.tif 000026
【図２５】
2005073140.tif 000027
【図２６】
2005073140.tif 000028
【図２７】
2005073140.tif 000029
【図２８】
2005073140.tif 000030